(57)【要約】【課題】大きなスペースを必要とせずコンパクトに構成して、簡単にドラムを収納したり又は機械に搬送したりできるドラム架台を提供すること。【解決手段】ドラム架台１は枠状に形成する架台本体２とキャスター８を備えている。架台本体２には保持装置１０を配置する。保持装置１０には軸体収納部１３を設けてドラムの軸体を収納可能に形成する。軸体収納部１３は下ステー１１１、上ステー１１２、連結ステー１１３を有して一方を開口するように構成するとともに、下ステー１１１と連結ステー１１３とを鈍角を有して連結し、上ステー１１２と連結ステー１１３とを鋭角を有して連結するように連結ステー１１３を傾斜させる。保持装置１０を傾倒させると、軸体は下ステー１１１側から上ステー１１２側に向かって連結ステー１１３上を移動する。【選択図】図１
2008189270.tif 000002
【特許請求の範囲】
【請求項１】
ワークが巻線されたドラムを収納するドラム架台であって、
前記ドラムを収納するドラム収納部の周りに側枠・後枠を有して枠状に形成されている架台本体と、前記架台本体を支持するキャスターと、を有し、
前記架台本体の一方は、前記ドラムを前記ドラム収納部に挿通するための開放部が形成され、
前記架台本体の上部には、前記ドラムの軸体を持ち上げて保持可能な保持手段が前記架台本体に対して傾倒可能に配設されていることを特徴とするドラム架台。
【請求項２】
前記保持手段が、前記ドラムの軸体を支持する軸体収納部と、前記支持部を傾倒させる操作部と、前記支持部の傾倒支点部と、を備えて構成されていることを特徴とする請求項１記載のドラム架台。
【請求項３】
前記軸体収納部は、一辺に開口部を有して３個のステーで囲撓され、前記開口部と対面する１個のステーが、前記軸体を収納する状態で後方に傾斜して形成されていることを特徴とする請求項２記載のドラム架台。
【請求項４】
前記軸体収納部は、前記ドラムの軸体を受け取る受取位置と、前記受取位置より高い位置で前記ドラムの軸体を保持する保持位置との間で傾倒可能に構成されることを特徴とする請求項２又は３記載のドラム架台。
【請求項５】
前記架台本体は、前記保持手段の傾倒支点部を支持する支持孔を複数段有して形成されていることを特徴とする請求項２,３または４記載のドラム架台。
【請求項６】
前記架台本体の開放部側には、前記開放部と対向するように補助台車が装着可能に配置され、前記架台本体が前記補助台車に連結機構で連結することによって搬送可能に構成されることを特徴とする請求項１,２,３,４又は５記載のドラム架台。
【請求項７】
前記補助台車には、前記ドラムに巻装されたワークを巻き戻す際の案内手段が、前記ワークの走行方向に対して直交する方向に移動可能に配設されていることを特徴とする請求項６記載のドラム架台。
【発明の詳細な説明】
【技術分野】
【０００１】
本発明は、電線ケーブルあるいはシート材等の長尺ワークを巻装するドラムを収納し、またドラムを機械内に供給するドラム架台に関する。
【背景技術】
【０００２】
電線やシート材等の長尺材料はドラムに巻装することによってコンパクトにした状態で収納されている。しかし長尺材料を巻装した１個のドラムは重量物となるだけでなく、長尺材料が解れないように両端部にフランジ部を有して形成されている。そのため、長尺材料を巻装したドラムを複数個倉庫内に収納する場合には、棚等を利用して保管することが難しく、また、積み上げて保管することも困難であることから、床面に転がした状態で配置せざるを得ないこととなっていた。そして、このドラムを倉庫内に保管したり機械内に搬送したりする場合、ドラムが円環状になっていることから、転がしながら移動させるか、フォークリフトやクレーンを使用して移動させていた。この作業は危険を伴うことと作業性が悪いことから、改良が求められていた。
【０００３】
また、電線やシート材等の長尺材料をドラムから巻き戻す際には、一旦ドラムを横に寝かせて測長しながら巻き戻し、必要な長さで切断した後、ドラムを起して元に復帰させていた。この作業は労力がかかって作業性が極めて悪いことから、やはり改良が求められていた。
【０００４】
従来、電線を巻装したドラムを格納することに関しては、単に収納するために倉庫内に固定状態で配置する枠状のドラム架台を使用するものや、あるいは特許文献１に記載されているような電線ドラムの立体格納装置が知られている。
【特許文献１】特開平６−２１９５１２号公報
【発明の開示】
【発明が解決しようとする課題】
【０００５】
しかし、前者の場合は、ドラム架台自体が床面に据えられているため、電線ドラムを収納する場合に重量物の電線ドラムを持ち上げてドラム架台に載置することとなって多大な労力がかかっていた。
【０００６】
また後者の場合、電線ドラム立体格納装置は、スタッカクレーンに設置された伸縮フォークで格納ラック内と入出荷設備間で電線ドラムの直接入出荷作用を行い、入出荷作業の間に、出荷要求に対する分巻き量を有する電線ドラムを格納ラック内から第２の伸縮フォークでスタッカクレーン上に取り出して、スタッカクレーンの分巻き手段で処理を行うように構成されていた。そのため、設備が大掛かりとなって、大きな工場では必要となるものの、設備費用を大きくできない一般の小さい工場では設備費用が莫大にかかるとともに、設置するスペースも広い面積を必要としていた。
【課題を解決するための手段】
【０００７】
本発明は、上述の課題を解決するものであり、広いスペースを必要とせずに簡略に構成できるドラム架台であって、しかも、長尺状の材料を巻装したドラムを、労力をかけずに収納あるいは取り出しできるドラム架台を提供することを目的とする。そのために、本発明にかかわるドラム架台は、以下のように構成するものである。すなわち、
請求項１記載の発明では、ワークが巻線されたドラムを収納するドラム架台であって、前記ドラムを収納するドラム収納部の周りに側枠・後枠を有して枠状に形成されている架台本体と、前記架台本体を支持するキャスターと、を有し、前記架台本体の一方は、前記ドラムを前記ドラム収納部に挿通するための開放部が形成され、前記架台本体の上部には、前記ドラムの軸体を持ち上げて保持可能な保持手段が前記架台本体に対して傾倒可能に配設されていることを特徴とするものである。
【０００８】
請求項２記載の発明では、前記保持手段が、前記ドラムの軸体を支持する軸体収納部と、前記支持部を傾倒させる操作部と、前記支持部の傾倒支点部と、を備えて構成されていることを特徴としている。
【０００９】
請求項３記載の発明では、前記軸体収納部は、一辺に開口部を有して３個のステーで囲撓され、前記開口部と対面する１個のステーが、前記軸体を収納する状態で後方に傾斜して形成されていることを特徴としている。
【００１０】
請求項４記載の発明では、前記軸体収納部は、前記ドラムの軸体を受け取る受取位置と、前記受取位置より高い位置で前記ドラムの軸体を保持する保持位置との間で傾倒可能に構成されることを特徴としている。
【００１１】
請求項５記載の発明では、前記架台本体は、前記保持手段の傾倒支点部を支持する支持孔を複数段有して形成されていることを特徴としている。
【００１２】
請求項６記載の発明では、前記架台本体の開放部側には、前記開放部と対向するように補助台車が装着可能に配置され、前記架台本体が前記補助台車に連結機構で連結することによって搬送可能に構成されることを特徴としている。
【００１３】
請求項７記載の発明では、前記補助台車には、前記ドラムに巻装されたワークを巻き戻す際の案内手段が、前記ワークの走行方向に対して直交する方向に移動可能に配設されていることを特徴としている。
【発明の効果】
【００１４】
本発明によれば、ワークが巻線されたドラムは、ドラムの軸体をドラム架台上に配設された保持手段の位置まで移動した後、ドラムの軸体を保持手段で支持される。ドラムが保持手段で支持されると、保持手段がドラムの軸体を持ち上げるように傾倒されてドラムを地面から持ち上げて保持する。
【００１５】
具体的には、ドラムの軸体が保持手段の軸体収納部に挿入されると、保持手段自体を操作レバーで傾倒支点部を中心にして傾倒させる。ドラムは保持手段で傾倒されることによって地面から持ち上げられて、安定された状態で保持される。この状態でドラムが保管されることとなる。
【００１６】
つまり、ドラムは軸体が軸体収納部の開口部から挿入されて３個のステー内に収納される。軸体収納部においては、ドラムの受取時に、開口部と対面するステーが後方に傾斜して形成されているから、保持手段が傾倒されることによって軸体収納部の開口部が上方に向くことになる。すると開口部と対面するステーは下向きに傾斜することになるから、ドラムの軸体は下方に移動することとなって安定した状態で保持されることとなる。
【００１７】
しかも保持位置は、受取位置より上方の位置で保持されることから、ドラム自体が地面から離れて持ち上げられた位置となり、ドラムの転がりを防止することができる。
【００１８】
上述のように本発明のドラム架台は、長尺状のワークを収納したドラムを保持手段で持ち上げるように傾倒させることによって保持・保管できることから収納作業を短時間でしかも軽労力で行うことができる。しかも従来のような倉庫内で収納するために製作された固定型の枠状架台を改良したものであるから、床面積を広く取ることなく設備費用も廉価にすることができる。
【００１９】
また、ドラムの大きさが異なるものであっても、保持手段の傾倒支点部を架台本体に形成された複数の支持孔のいずれかの支持孔で支持することによって、容易に保持・保管することができる。
【００２０】
このドラム架台に収納されているドラムを機械内に搬送する場合、補助台車を架台本体の開放部に対向させてドラム架台を補助台車に連結させる。そして補助台車でドラム架台の前端部を持ち上げてドラム架台を搬送可能な状態にした上でドラム架台を牽引する。ドラム架台には、キャスターが装着されているから、これによって、ドラムを機械のどの位置でも容易に搬送させることが可能となる。
【００２１】
また、ドラム架台に収納されているドラムから、ワークを巻き戻す際、例えば、ワークが電線であれば、電線を巻き戻す際に左右に振れるため、左右方向に移動可能な案内手段を補助台車に設けることによって、電線がドラム幅内での横移動により他部材と接触して発生する被覆の損傷を防止することができる。
【発明を実施するための最良の形態】
【００２２】
次に、本発明における一形態のドラム架台を図面に基づいて説明する。なお、このドラム架台に収納されるドラムは、例えば工作機械の電線ケーブルを巻線する電線ドラムで説明する。また、ドラム架台の補助台車側をドラム架台の前方と(又は前側)といい、補助台車のドラム架台側も補助台車の前方(又は前側)という。
【００２３】
図１〜３に示すように、ドラム架台１は、ドラム収納部２ａを間にして前方に形成された開放部４と、開放部４の両側に配置される両側枠部３、３と、開放部４と対向する位置に配置される後枠部５と、を備える枠状の架台本体２を有して構成されている。実施形態における両側枠部３、３及び後枠部５は、それぞれ、中央部が開口した枠状に形成されている。側枠部３の前端側の脚部３ａには、側枠部３から下方に突出して下端部が地面に接地可能な接地部３ｂとして形成されている。
【００２４】
両側枠部３、３及び後枠部５の内側面には、両側枠部３、３及び後枠部５の全周にわたって上部の位置と下部の位置にそれぞれ板状の補強板６、７が溶接にて固着されている。上方の補強板６は、両側枠部３の前面側において屈曲して下方端まで延設され脚部３ａとして一体化されている。なお、開放部４の下方に、架台本体１１を補強するために両側枠部３、３の接地部３ｂ、３ｂを連結する前下端枠４ａ（図１参照）を配置してもよい。
【００２５】
上方の補強板６の上面部の略中央部には、ドラム保持装置（以下、保持装置とも言う。）１０が配置されている。ドラム保持装置１０は、左右の補助板６、６上に配置されて上方に向かって突出する保持本体部１１、１１と、１対の保持本体部１１、１１の略上端位置で連結する操作レバー１２とを備えている。保持本体部１１は、補助板６上に長手方向で当接可能な下ステー１１１と、下ステー１１１に平行に配置される上ステー１１２と、下ステー１１１と上ステー１１２とを連結する連結ステー１１３と、下ステー１１１の後端部から上方に突出して形成される後支柱１１４とを有して形成されている。連結ステー１１３は下ステー１１１の前方から上ステー１１２の後方に向かって傾斜して形成されている。また、連結ステー１１３の対面側は、ドラム２０の軸体２１が挿入する開口部１１５として形成されている。
【００２６】
つまり、下ステー１１１と連結ステー１１３とは鈍角を有して連結され、上ステー１１２と連結ステー１１３とは鋭角を有して連結されている。開口部１１５及び下ステー１１１と上ステー１１２及び連結ステー１１３との間に形成される空間部がドラム２０の軸体２１を収納する軸体収納部１３として形成される。
【００２７】
各後支柱１１４の下端部付近には軸１５が挿通されて傾倒支点部を形成している。軸１５は、両側枠部３、３に形成された軸挿通孔を挿通して保持本体部１１を傾倒可能に支持している。この両側枠部３、３に形成された軸挿通孔を、両側枠部３、３に斜め上方に向かって複数個形成することによって、大きさの異なるドラムに対応することができる。
【００２８】
また、補強板６の左右における前面部６ａには、後述の補助台車を装着する第１の連結部６１（上係止部６１という。）、第２の連結部６２（下係止部６２という。）がそれぞれ上下に一対設けられている。一対の連結部(上係止部６１と下係止部６２)は相対向する開口部を有して鉤状に形成されている。
【００２９】
下方の補強板７には、両側枠部３、３の中央部付近においてキャスター８が装着されている。キャスター８の下端面は、脚部３ａの接地部３ｂと一致して地面に接触している。
【００３０】
補助台車３０は、図４〜５に示すように、ベース部３１と、ベース部３１の幅方向の両端部でベース部３１から立ち上がる２本の支柱部３２、３２と、各支柱部３２から上方に傾斜して配置されるコ字状の取手３３と、各支柱部３２、３２に対して上下方向に移動可能に配置される可動金具３４、３４と、可動金具３４、３４を上下移動させる駆動レバー部３５と、ベース部３１に装着される複数（実施形態では３個）のキャスター３６とを備えて構成されている。
【００３１】
ベース部３１は、支柱部３２が立設する主板部３１１と主板部３１１から反ドラム架台側に突出する後側突出部３１２と、ドラム架台１側に突出する一対の前側突出部３１３、３１３と、前側突出部３１３、３１３の外側で主板部３１１の両端部付近に配置されるとともにドラム架台１の下係止部６２に係止可能な第２の連結部３１４（以下、係止板３１４という。）と、が形成されている。キャスター３６は、後側突出部３１２と一対の前側突出部３１３、３１３の下面に装着されている。
【００３２】
可動金具３４は、図５に示すように、側板部３４１と天井板部３４２を有してＬ字状に形成され、側板部３４１には上下方向の２箇所に長孔３４３、３４３が形成されている。また、側板部３４１の前面(ドラム架台１側)には、ドラム架台１の上係止部６１に係合可能であってドラム架台１を持ち上げるための第１の連結部３７（架台持ち上げ部３７という。）が側板部３４１から両側外方に突出して形成されている。なお、側板部３４１には可動金具３４の長孔３４３、３４３を挿通する止め部材が装着され、可動金具３４の外側への倒れを防止している。
【００３３】
駆動レバー部３５は、両腕部が支柱部３２の内側面にそれぞれ配置されたレバー軸３２１に回動可能に配置されて、一体的なコ字状に形成されている。両腕部３５１、３５１の先端部は可動金具３４の天井板部３４２に当接する円弧部３５２、３５２に形成されている。
【００３４】
次に、上記のように構成されたドラム架台１と補助台車３０の作用について説明する。図６〜７に示すように、電線ドラム２０をドラム収納部２ａに収納する場合、まず、保持装置１０の軸体収納部１３の開口部１１５をドラム２０の軸体２１と対向できるように、保持装置１０を第１の位置（後支柱部１１４を立設させた状態）に置く。
【００３５】
この状態で、図６に示すように、電線ドラム２０を転がしながら架台本体２の解放部４から収納部２ａ内に移動させる。電線ドラム２０が、保持装置１０が配設されている架台本体２の略中央部まで移動すると、ドラム２０の軸体２１を保持装置１０の軸体収納部１３内に挿入する。軸体２１は、水平状態に配置された下ステー１１１、上ステー１１２との間から挿入されて連結ステー１１３に当接して停止する。
【００３６】
軸体２１が軸体収納部１３内に収納されると、操作レバー１２を操作して一対の保持本体部１１を、傾倒支点部（軸１５）を中心にして、図７に示すように時計方向に傾倒する。保持装置１０が、図８に示すように、後支柱１１４の背面を補強板６上に当接する第２の位置まで傾倒されると、軸体２１は、図３に示すように、連結ステー１１３上を下方に向かって移動して連結ステー１１３と上ステー１１２によって保持される。この状態においては、図３又は図９に示すように、軸体収納部１３の開口部１１５が上方を向くことになり、この状態でドラム２０はドラム架台１に保持・保管される。
【００３７】
次に、ドラム架台１に収納されている電線ドラム２０を機械内に搬送して使用する場合、まず、図１０に示すように、補助台車３０をドラム架台１の開放部４に対向させる。補助台車３０は、駆動レバー部３５を下方に傾斜した状態にある。駆動レバー部３５が下方に傾斜した状態では、図４に示すように、駆動レバー部３５の先端の円弧部３５２は、可動金具３４の天井板部１４２を押し上げることとなって、架台持ち上げ部３７が上方の位置に移動した位置にある。
【００３８】
架台持ち上げ部３７の上面位置は、架台本体２の上係止部６１の下端より上方にある。また、ベース部３１の両端部に形成された係止板３１４の下端は架台本体２の下係止部６２の上端面より高い位置にある。そして、補助台車３０をドラム架台１に接近して補助台車３０の架台持ち上げ部３７が架台本体２の上係止部６１の下方まで移動すると、図１１に示すように、補助台車３０の駆動レバー部３５を略水平方向となるように回動させる。すると、駆動レバー部３５の先端の円弧部３５２が可動金具３４の天井板部３４２との係合が解除される。この解除によって、可動金具３４は自重で落下し、架台持ち上げ部３７を下降させる。この位置は、架台持ち上げ部３７の上面が、架台本体２の上係止部６１の下端面より下方に位置することから、補助台車３０の先端を架台本体２の開放部４内に突入させる。この際、補助台車３０の係止板３１４が架台本体２の下係止部６２上を通ることから、補助台車３０の前側突出部３１３はドラム架台１内に挿入し、架台持ち上げ部３７と係止板３１４は、それぞれ、上係止部６１と下係止部６２を通過して係合待機状態となる。
【００３９】
次に、図１２に示すように、駆動レバー部３５を再び水平位置から下方位置に回動させると、駆動レバー部３５の円弧部３５２が可動金具３４の天井板部３４２を押し上げることとなって、架台持ち上げ部３７を上昇させる。架台持ち上げ部３７の上昇は架台本体２の上係止部６１と係止するとともに、更なる上昇で架台本体２を持ち上げることとなる。架台本体２の持ち上げは、キャスター８を中心にして架台本体２を水平状態から、図１２中、時計方向に回動させることとなり、接地部３ｂを地面から離隔させると同時に下係止部６２が上昇して補助台車３０の係止板３１４と係止させることとなる。
【００４０】
これによって、ドラム架台１は補助台車３０と連結することとなって、補助台車３０の取手３３の牽引により搬送される。この搬送は、補助台車３０の３個のキャスター３６とドラム架台１の２個のキャスター８で誘導されることから容易に搬送することができる。
【００４１】
上述のように、実施形態のドラム架台１は、架台本体２上にドラム２０の軸体２１を保持して傾倒可能な保持装置１０を備えていることから、軸体２１を保持装置１０の軸体収納部１３内に収納した後、ドラム２０を持ち上げるように操作レバー１２で保持本体部１１を傾倒することによって、軸体収納部１３の開口部１１５が上方に移動することから容易にドラム２０を保持することができる。
【００４２】
また、保持装置１０の軸体収納部１３は、下ステー１１１、上ステー１１２、連結ステー１１３で形成され、連結ステー１１３が、下ステー１１１の水平状態で、後方に傾斜している。そのため、保持装置１０が傾倒すると開口部１１５が上方を向いて連結ステー１１３が下方に配置されることとなって、ドラム２０の軸体２１は連結ステー１１３の下方に移動して安定した状態で保持される。
【００４３】
さらに、補助台車３０をドラム架台１に連結することによって、ドラム架台１を搬送可能とすることができることから、電線ドラム２０の収納及び搬送を廉価な費用で容易に行なうことができる。しかも設置スペースを広く取らないことから、ドラム架台１の保管場所は、狭い場所であっても倉庫として使用することができる。
【００４４】
特に、補助台車３０には、可動金具３４を上下動させるための駆動レバー部３５を備え、駆動レバー部３５の回動操作のみで、可動金具３４に設けられた架台持ち上げ部３７と、ドラム架台１の上係止部１４１及び下係止部６２とを連結できるので容易な操作で行うことができる。
【００４５】
次に、電線ケーブル２５を巻装した電線ドラム２０の場合、電線ケーブル２５を巻き戻す際の横振れによる損傷防止を図ることについて説明する。この場合は、補助台車３０がドラム架台１に連結されている。図１３〜１５に示すように、補助台車３０には、電線ケーブル２５を保持する滑車２６を取手３３に設けている。滑車２６は取手３３の両縦支柱３３１、３３１に横架されたシャフト２７に摺動可能に設けられるとともに、電線ケーブル２５を支持する円弧状の凹部２６１と凹部２６１の両端に配置されたフランジ部２６２、２６２を有している。
【００４６】
電線ケーブル２５を測長して所定長さに切断する場合、ドラム架台１に補助台車３０を連結した状態で、電線ケーブル２５を電線ドラム２０から巻き戻す。この巻き戻す際、電線ケーブル２５を滑車２６の凹部２６１に係止させて巻き戻すことになる。電線ケーブル２５を測長して切断するためには、電線ケーブル２５を補助台車３０におけるドラム架台１側と反対の方向に引っ張ることになる。電線ケーブル２５は、通常、電線ドラム２０にトラバース状に巻装されていることから、電線ケーブル２５を巻き戻す方向に引っ張ると電線ケーブル２５は左右方向に振れながら走行する。電線ケーブル２５は滑車２６に支持されていることによって、電線ケーブル２５の左右方向の振れは滑車２６をシャフト２７上で左右方向に移動させることになる。
【００４７】
従って、電線ケーブル２５の左右方向の振れを滑車２６で吸収できることによって、電線ケーブル２５の巻き戻しをスムーズに行うとともに、電線ケーブル２５が他部位と干渉して電線ケーブル２５の被覆を損傷することを防止することができる。
【００４８】
なお、本発明のドラム架台は上記の形態に限定するものではない。例えば、架台本体を長く形成して、保持装置を長手方向に複数配置すれば、ドラムを複数個収納することができる。
【図面の簡単な説明】
【００４９】
【図１】本発明の一形態のドラム架台を示す斜視図である。
【図２】同正面断面図である。
【図３】図１における保持装置の要部拡大図である。
【図４】図１のドラム架台に連結可能な補助台車を示す斜視図である。
【図５】図４におけるドラム架台の要部拡大図である。
【図６】ドラム架台に電線ドラムを収納する状態を示す正面図である。
【図７】図６における保持装置を傾倒させた中間の状態を示す正面図である。
【図８】図６における保持装置を傾倒させた保管状態を示す正面図である。
【図９】図８の斜視図である。
【図１０】ドラム架台に補助台車を対向させた作用を示す正面図である。
【図１１】補助台車における可動金具が下降した状態を示す作用図である。
【図１２】補助台車をドラム架台に連結してドラム架台を持ち上げた状態を示す作用図である。
【図１３】電線ケーブルの巻き戻し状態を示す正面図である。
【図１４】同平面図である。
【図１５】同側面図である。
【符号の説明】
【００５０】
１、ドラム架台
２、架台本体
２ａ、ドラム収納部
３、側枠部
３ｂ、接地部
４、開放部
６、補強板
６１、上係止部(第１の連結部)
６２、下係止部(第２の連結部)
１０、保持装置
１１、保持本体部
１１１、下ステー
１１２、上ステー
１１３、連結ステー
１２、操作レバー
１３、軸体収納部
１５、軸（傾倒支点部）
２０、ドラム
２１、軸体
２２、ピニオン
２５、電線ケーブル
２６、滑車
２７、シャフト
３０、補助台車
３１４、係止板(第２の連結部)
３３、取手
３４、可動金具
３４２、天井板部
３５、駆動レバー部
３７、架台持ち上げ部
【図１】
2008189270.tif 000003
【図２】
2008189270.tif 000004
【図３】
2008189270.tif 000005
【図４】
2008189270.tif 000006
【図５】
2008189270.tif 000007
【図６】
2008189270.tif 000008
【図７】
2008189270.tif 000009
【図８】
2008189270.tif 000010
【図９】
2008189270.tif 000011
【図１０】
2008189270.tif 000012
【図１１】
2008189270.tif 000013
【図１２】
2008189270.tif 000014
【図１３】
2008189270.tif 000015
【図１４】
2008189270.tif 000016
【図１５】
2008189270.tif 000017